(57)【特許請求の範囲】
【請求項１】
それぞれ基部とその表面に突設された多数の係合要素とからなる雄面ファスナーと雌面ファスナーとからなる面ファスナーにおいて、雄面ファスナー及び雌面ファスナーのいずれも、上記基部及び係合要素が生分解性樹脂により形成されていることを特徴とする面ファスナー。
【発明の詳細な説明】
【０００１】
【発明の属する技術分野】
本発明は、生分解性の面ファスナーに関する。
【０００２】
【従来の技術】
近年、地球環境保全の観点から、プラスチック廃棄物の処理問題がクローズアップされており、廃棄処理の技術開発に対する要求が高まっている。その一つとして、自然界の物質循環に組み込まれる生分解性プラスチックに注目が集められている。
土中あるいは水中で微生物の作用を受けて崩壊する生分解性の樹脂材料としては、（ａ）微生物発酵生産型、（ｂ）澱粉アロイ型、（ｃ）化学合成型、（ｄ）ポリ乳酸型など各種のものが知られており、包装用のフィルムや袋の他、ボトル、カップ、トレー等の容器などの用途の開発が行われている。
しかしながら、本発明の対象である面ファスナーに生分解性樹脂が応用された例は従来知られていない。
【０００３】
【発明が解決しようとする課題】
一般に、面ファスナーには繰り返し使用に対する耐久性が要求され、また面ファスナーが装着される製品は一般に使い捨て製品ではないため、これまでは汎用の樹脂材料で作製された面ファスナーしか存在しなかった。
しかしながら、面ファスナーを用いる分野においても、近年、結束バンドや、鹿等の動物からの食害を防止するための苗木カバー、あるいはエノキ茸育苗カバーなどのように使い捨てが行われる用途が開発されており、このような製品の連結に面ファスナーが用いられている。また、おむつなども最近では水溶性樹脂製の使い捨て製品が開発されており、おむつ本体の連結に面ファスナーが用いられている。
【０００４】
そのため、このような使い捨て製品に用いられても、永年その形状を維持して地球環境の破壊の一因となったり、廃棄物公害を生ずる恐れのない面ファスナーの開発が求められている。
従って、本発明の基本的な目的は、上記のような問題を生ずることがなく、使用目的が達成された後は土中や水中の微生物により可及的速やかに分解される生分解性の面ファスナーを提供することにある。
さらに本発明の目的は、繰り返し使用に耐える比較的に高い耐久性を有する面ファスナーであっても、微生物の作用により、より速やかに分解されるような構造を有する面ファスナーを提供することにある。
【０００５】
【課題を解決するための手段】
前記目的を達成するために、本発明の基本的な態様によれば、それぞれ基部とその表面に突設された多数の係合要素とからなる雄面ファスナーと雌面ファスナーとからなる面ファスナーにおいて、雄面ファスナー及び雌面ファスナーのいずれも、上記基部及び係合要素が生分解性樹脂により形成されていることを特徴とする面ファスナーが提供される。
微生物の作用によって速やかに分解される好適な態様においては、面ファスナーの少なくとも基部が、その比表面積が平板状断面に比べて大きくなるような断面形状を有し、特に好適な態様においては、少なくとも基部に溝部及び／又は孔部が形成され、あるいは基部裏面から係合要素内部にかけて延在する孔部が形成される。
前記溝部及び／又は孔部は型成形により形成されたものであってもよく、あるいは水溶性樹脂の溶出により形成されたものであってもよい。
【０００６】
【発明の実施の形態】
本発明に係る面ファスナーにおいては、一対の雄面ファスナーと雌面ファスナーが共に、前記のように、基部とその表面に突設された多数の係合要素が生分解性樹脂により形成されている。従って、本発明の面ファスナーを連結部に用いた使い捨て製品、例えば生分解性樹脂や水溶性樹脂から作製された結束バンドや苗木カバー、エノキ茸育苗カバー、おむつなどが使用後に廃棄されても、これらは土中や水中の微生物により分解されるため、あるいは雨水等により溶解消失するため、地球環境の破壊や廃棄物公害を引き起こすことはない。しかも、生分解性樹脂製の製品は、コンポスト（堆肥）にして大地に還元されるので、通常プラスチック製品のような散乱ゴミになって野生動物への危害となる恐れもなく、また、分解して嵩が減少するので埋立地の延命化や安定化にも役立つ。さらに、これらの製品が焼却処分されても、生分解性樹脂は焼却時の発熱量が少ないため、焼却炉を損傷する危険性も減少する。
【０００７】
ところで、使い捨て製品といっても、経済的な面から多数回繰り返し使用された後に廃棄される場合も多い。
また、使い捨てでない製品についても、地球環境の保全や廃棄物公害等の面から生分解性の面ファスナーを使用することが望まれる場合もある。このような場合、面ファスナーには、その機能の点からある程度の繰り返し使用によっても充分な係合力を有する耐久性が要求されることになる。面ファスナーの係合要素は小さく、あるいは細いものであるため微生物による生分解が比較的に円滑に進行するが、基部はある程度の厚みがあるため生分解が進行し難い。基部を薄くすれば、微生物による生分解は進行し易くなるが、反面、耐久性や強度が低下してしまう。
【０００８】
そこで、本発明の好適な態様の面ファスナーは、少なくとも基部を、その比表面積が大きくなるような断面形状とするものであり、例えば少なくとも基部に溝部及び／又は孔部を形成したり、あるいは基部裏面から係合要素内部にかけて延在する孔部を形成する。なお、本明細書中でいう孔部とは、貫通孔及び非貫通孔（もしくは凹部）の両態様を含む概念と理解されるべきである。平板状の基部においては、その表面を粗面とすることも一つの有効な手段である。
このように、面ファスナーの基部の比表面積を大きくすることにより、充分な耐久性、強度を確保しつつ、微生物の作用による基部の分解も速やかに進行するようになる。また、基部に溝部及び／又は孔部を形成することにより、基部に柔軟性を与えることができ、従って、基部変形により係合要素間の係合が速やかに行え、係合力の向上も期待できる。
【０００９】
本発明の面ファスナーの製造は、使用する材料が生分解性樹脂である点を除けば従来公知の種々の方法で行うことができ、またその形態も特定のものに限定されるものではない。例えば、雄部材としては、フック状の係合要素、半円球状の頭部を有する係合要素、円錐状の頭部を有する係合要素など種々の形状の係合要素が基部から突設するように生分解性樹脂から一体成形された面ファスナーや、生分解性樹脂繊維の織物又は編物からなる基布に突設したループを切断してフック状にした面ファスナーなど、種々の構造のものが使用でき、また雌部材としても、生分解性樹脂繊維からループを形成するようにパイル状に織編成した物、織物や編物を起毛して表面に多数のループを形成したもの、あるいは不織布など、雄部材の係合要素が係合できるものであれば全て使用可能である。
【００１０】
本発明の面ファスナーの製造に用いる生分解性樹脂としては、成形性と適度の柔軟性及び硬度を有し、微生物の作用により崩壊し得る樹脂であれば使用可能であり、例えばゼネカ（株）製バイオポール（ヒドロキシ酪酸とヒドロキシ吉草酸の共重合体）等の微生物発酵生産型樹脂、日本合成化学工業（株）製マタービー（澱粉と変性ポリビニルアルコールとのブレンド物）、アメリカ、ワーナー・ランバード社製ノボン（澱粉と生分解性合成ポリマーとのブレンド物）等の天然高分子（澱粉）系樹脂、昭和高分子（株）製ビオノーレ（脂肪族ポリエステル）、ダイセル化学工業（株）製プラクセル（ポリカプロラクトン）等の化学合成型樹脂、ポリ乳酸などが挙げられる。
【００１１】
また、溝部及び／又は孔部の形成に用いられる水溶性樹脂としては、水酸基、カルボキシル基、スルホン基等の親水性基を有する水溶性であって、成形性を有するものであれば使用可能であり、例えばポリビニルアルコール、変性ポリビニルアルコール、ポリアクリル酸、ポリエチレンオキサイド、ＣＭＣ、ガム等が挙げられるが、これらの中でも変性ポリビニルアルコール（例えば日本合成化学工業（株）製エコマティＡＸ（ビニルアルコール−アリルアルコール共重合物へのポリオキシアルキレンのグラフト物）を好適に用いることができる。
【００１２】
【実施例】
以下、添付図面に示す実施例を説明しつつ、本発明の生分解性面ファスナー及びその製造方法の各種態様について具体的に説明する。
図１及び図２は本発明の面ファスナーの第一実施例を示しており、図１は雄面ファスナー１の斜視図、図２は雄面ファスナー１と雌面ファスナー１０の係合状態を示している。
雄面ファスナー１は、基部２と該基部から突設された多数のフック状の係合要素３とが前記したような生分解性樹脂から一体成形されたものであり、各係合要素３は、基部の長手方向に所定の間隔で列設された補強用のリブ４に跨るように形成されている。また、基部２の裏面には、微生物の作用による分解が速やかに進行するように、また適度の柔軟性と強度を保持するように、長手方向に延在する溝部（縦溝）５が形成されており、それによって各溝部５の間に縦リブ６が形成されている。
この雄面ファスナー１は、生分解性樹脂の繊維から織成又は編成された基部１１の表面に多数のループ状の係合要素１２が突設された雌面ファスナー１０と、図２に示すようにフック状の係合要素３がループ状の係合要素１２に引っ掛かることによって係合する。
【００１３】
次に、上記第一実施例の雄面ファスナー１の好適な製造方法を図３及び図４を参照しながら説明する。
図３は雄面ファスナーの連続製造装置の要部を示しており、図中、符号２０は射出ノズルであり、該ノズル２０の先端面における上半面は後述するダイホイール４０と同一の曲率をもつ円弧面２１として形成され、一方、下半面はダイホイール４０の曲面に対して所定の間隙を有する円弧面２２として形成されていると共に、図４に示すように、前記雄面ファスナー１の縦リブ６に対応する縦方向の溝２３が所定の間隔で列設されている。この射出ノズル２０はＴ形ダイからなり、その射出口２４からは生分解性の溶融樹脂３０がシート状で射出される。本実施例によれば、射出ノズル２０は中央に１個の溶融樹脂流路２５を有している。
【００１４】
一方、ダイホイール４０は、その周面に前記雄面ファスナー１の係合要素３及び補強リブ４に対応する形状の多数のキャビティ４１が形成されており、射出ノズル２０の上部円弧面２１及び下部円弧面２２とは所定の間隙をあけ、且つ軸線を前記射出口２４と平行にして配設されている。
このダイホイール４０の構造は、その構造を簡単に説明すると、内部に水冷ジャケット（図示せず）を有する中空ドラム状であり、その軸線に沿った中央部分は積層固定された多数のリング状板材からなる。各リング状板材の周側面には、前記雄面ファスナー１のフック状係合要素３及び補強リブ４の形状に各々対応する形状の多数の切欠部が形成されており、フック状係合要素３に対応する切欠部を有するリング状板材の間に補強リブ４の形状に対応する切欠部を有する所定枚数のリング状板材が介在するように各切欠部を整合して配列し、所定枚数積層することにより、全体的にそれらの周面に図１に示す雄面ファスナー１の係合要素３及び補強リブ４に対応する形状の多数のキャビティ４１が形成されることになる。
【００１５】
射出ノズル２０から射出される生分解性の溶融樹脂３０は、矢印方向に回転するダイホイール４０との間に形成された間隙に押し込まれ、その一部がキャビティ４１に順次充填されてフック状係合要素３及び補強リブ４が成形されると同時に、所定の厚さと幅を持つ平板状の基部２が連続的に成形される。
ダイホイール４０に接触している溶融樹脂３０は、ダイホイール４０と共に周回する間に、ダイホイール４０の内部に配設された水冷ジャケットにより冷却され、徐々に固化していく。その後、このように成形、固化された雄面ファスナー１を、ガイドロール４２の箇所で反転させて射出方向と同一方向に適当な引張り力で引き取ると、上記キャビティ４１内の各係合要素３は弾性変形しながらスムーズに引き抜かれる。このようにして、図１に示すような長尺物の生分解性雄面ファスナー１が連続的に生産性良く製造される。なお、ダイホイール４０内に配設された水冷ジャケットによる冷却では充分でない場合、ダイホイール４０の下部を水中に浸し、成形された面ファスナーを直に水冷する。
【００１６】
図５及び図６は本発明の生分解性面ファスナーの第二実施例を示し、図５は雄面ファスナー１ａの斜視図、図６は雄面ファスナー１ａと雌面ファスナー１０の係合状態を示している。
本実施例の雄面ファスナー１ａは、係合要素としてフック状先端が逆向きの一対の隣接するフック片７，８からなる係合要素３ａが基部２ａ上に突設されている点、補強リブ４ａが各係合要素３ａの基端部のみに断続的に形成されている点、及び横方向への曲げを確保するために基部２ａの裏面に横方向の溝部（横溝）５ａが形成されている点において、前記第一実施例とは異なる。
なお、雌面ファスナー１０の構成は前記第一実施例の場合と同じである。
【００１７】
図７は上記第二実施例の雄面ファスナー１ａの好適な製造装置の要部を示している。
図７に示す装置は、その基本的な構成は図３に示す装置と同様であるが、射出ノズル２０ａの下部円孤面２２ａが平滑面に形成されている点、ダイホイール４０ａの各リング状板材周側面がそれらの積層体周面に全体的に図５に示す雄面ファスナー１ａの係合要素３ａ及び補強リブ４ａに対応する多数のキャビティ４１ａが形成されるような輪郭を有する点、及びダイホイール４０ａの下部に、雄面ファスナー１ａの基部２ａの厚さに相当する所定の間隔をあけて、基部２ａ裏面の溝部５ａに対応する形状の凸部４４がその周面に所定の間隔で形成された溝成形用ロール４３が配設されている点において異なる。
【００１８】
この装置によれば、射出ノズル２０ａの射出口２４からダイホイール４０ａとの間の間隙に射出された生分解性の溶融樹脂３０は、その一部がキャビティ４１ａに順次充填されてフック状係合要素３ａ及び補強リブ４ａが成形されると同時に、所定の厚さと幅を持つ平板状の基部２ａが成形され、さらに樹脂が軟化状態又は半溶融状態の間に溝成形用ロール４３の凸部４４により基部２ａ裏面に横溝５ａが成形される。従って、図面上は離間して示されているが、溝成形用ロール４３はできるだけ射出ノズル２０ａに近接して配設することが望ましく、例えば射出ノズル２０ａ先端下部を一部切り欠いてそこに溝成形用ロール４３を配設することもできる。なお、図７においては、図示の都合上、フック状係合要素３ａの一方のフック片８に対応するキャビティ４１ａのみが示されている。
このようにして、図５に示すような長尺物の生分解性雄面ファスナー１ａが連続的に生産性良く製造される。
【００１９】
図８及び図９は本発明の生分解性面ファスナーの第三実施例を示しており、生分解性樹脂でモノフィラメント又はマルチフィラメントを作製し、これを織成して作製した面ファスナーを示している。
図８に示す雌面ファスナー１０ａにおいては、生分解性樹脂フィラメントからなるパイル糸が同様に生分解性樹脂フィラメントから平織りされた基部（基布）１１ａにパイル状に織り込まれてループ状の雌係合要素１２ａが基部表面から突出するように形成されている。一方、図９に示す雄面ファスナー１ｃは、ループの一部を切断してフック状係合要素３ｃが形成されていること以外は上記雌面ファスナーと同様な構造を有する。
また、雌面ファスナー１０ａ及び雄面ファスナー１ｃの裏面には、ほつれ防止のために水溶性樹脂又は生分解性樹脂のバックコート１５が施されている。なお、このバックコート１５に水溶性樹脂を用いることにより、このバックコート１５を水で湿らせることによって接着剤層として機能する。また、このような面ファスナー１ｃ，１０ａが廃棄されても、生分解性樹脂から作製されている部分（２ｃ，３ｃ，１１ａ，１２ａ）は微生物の作用によって分解されるし、また水溶性樹脂から作製されているバックコート１５の部分は雨水等によって溶解して消失してしまうので、廃棄物公害の問題を生ずることはない。しかも水溶性樹脂のバックコート１５が溶解して消失することにより、基部（基布）１１ａ，２ｃは多数の空隙を有する生分解性樹脂フィラメントの織物生地となるので、微生物による分解作用も速やかに進行する。
【００２０】
図１０及び図１１は本発明の第四実施例を示し、水溶性樹脂の溶媒中への溶出によって面ファスナーの基部に孔部及び溝部を形成する方法の一例を示している。なお、面ファスナー１ｄの係合要素３ｄの形状は図５に示す実施例と同様である。
この場合、面ファスナー１ｄの係合要素３ｄ及び基部２ｄの一部を生分解性樹脂により、基部の孔部及び溝部となる部分を水溶性樹脂１６により成形した後、これを水、アルコール水溶液等の溶媒中に浸漬して水溶性樹脂１６を溶出させることにより、図１１に示すような基部２ｄに孔部９ｄ及び溝部５ｄが形成された面ファスナー１ｄが得られる。
なお、図１０に示すように基部２ｄ裏面に水溶性樹脂１６が積層された状態の面ファスナー１ｄをそのまま使用することもできる。この場合、水溶性樹脂１６を水で湿らせることによって接着剤層として機能する。また、このような面ファスナー１ｄが廃棄されても、雨水等によって水溶性樹脂１６は溶解、消失し、それによって生分解性樹脂からなる面ファスナー１ｄには孔部９ｄ及び溝部５ｄが形成されるので、微生物による分解作用も速やかに進行する。
【００２１】
上記図１０に示すような面ファスナー１ｄの成形は、予め孔部及び溝部に対応する凸部が形成された水溶性樹脂フィルムを、生分解性樹脂から成形された半溶融状態の面ファスナーの裏面に圧着することにより形成することもできる。
そのような方法の一例を図１２を参照しながら説明する。生分解性樹脂からなる面ファスナー１ｅの成形は、射出ノズル２０ｅの射出口２４から周面に所定の断面形状のキャビティ４１ｅが形成されたダイホイール４０ｅに生分解性の溶融樹脂３０を連続的に射出しながら行う。成形装置の基本的な構成及び作動は図３及び図７に示す装置と同様であるので、その説明は省略する。
【００２２】
成形装置の下部には射出ノズル２０ｅに近接して加圧ロール４５が配設されており、予め所定形状の凸部１８が一定の間隔で形成された水溶性樹脂フィルム１７を、ダイホイール４０ｅ上のまだ成形されたばかりの半溶融状態もしくは軟化状態にある面ファスナー１ｅの基部２ｅに上記凸部１８が埋入されるように加圧ロール４５により圧着する。このようにして水溶性樹脂フィルム１７がラミネートされた面ファスナー１ｅは、ダイホイール４０ｅと共に周回する間に徐々に冷却、固化され、水溶性樹脂フィルム１７と一体化された面ファスナー１ｅが連続的に成形される。その後、水溶性樹脂フィルム１７を水、アルコール水溶液等の適当な溶媒中に浸漬して溶出させることにより、水溶性樹脂フィルム１７の凸部１８に対応する形状の孔部が形成された面ファスナーが得られる。同様に、水溶性樹脂フィルム１７の表面に予め溝部に対応する形状の突条を形成しておくことにより、面ファスナーにこの突条に対応した溝部を形成することができる。
また、溶融樹脂流路２５の下方の射出ノズル２０ｅ内部に水溶性樹脂フィルム１７用の案内通路を設け、該案内通路の出口側の射出ノズル下部を一部切り欠いてそこに加圧ロール４５を配設するようにしてもよい。
【００２３】
図１３は、本発明の面ファスナーの第五実施例を示している。
この実施例の面ファスナー１ｆは、基部２ｆから係合要素３ｆにかけて延在する孔部９ｆを有しており、さらに高い柔軟性を有し、また微生物による分解速度も高くなる。このような孔部９ｆの形成も、前記図１２に示す方法と同様にして行うことができる。すなわち、成形された直後の半溶融状態又は軟化状態にある面ファスナー１ｆに、上記孔部９ｆの形状に対応する鋭角な突部を予め形成した水溶性樹脂フィルムを上記突部が埋入されるように圧着してラミネートし、その後、面ファスナーが冷却、固化された後、水溶性樹脂フィルムを適当な溶媒中に溶出させる。
また、前記したような孔部及び／又は溝部の形成方法の別の例として、予め孔部及び／又は溝部に対応する突部及び／又は突条が形成された水溶性樹脂フィルムを下型のキャビティ内に配置し、この水溶性樹脂フィルムを下型のキャビティ面として利用して生分解性樹脂から面ファスナーを成形する方法も採用することができる。
【００２４】
図１４及び図１５は、本発明の生分解性面ファスナーを苗木カバーに応用した例を示している。
苗木カバー５０は、図１４に示すように、生分解性樹脂フィルム５１と、その両端部の上下面に固着された雄面ファスナー５２及び雌面ファスナー５３とから水成される。固着方法としては、水溶性樹脂接着剤による接着、生分解性樹脂や水溶性樹脂から作製された糸による縫着等の手段が好ましい。
生成分性樹脂フィルム５１の両端部に固着された雄面ファスナー５２を雌面ファスナー５３に係合させることにより、図１５に示すように苗木カバー５０が組み立てられる。
【００２５】
次に、生分解性樹脂により作製した面ファスナーの剥離強度及び剪断強度の試験結果を下記表１に示す。
なお、生分解性樹脂としては昭和高分子（株）製ビオノーレ＃３００１を用い、図３に示すような装置を用い、射出機温度１９０〜２１０℃、成型機温度１８５℃の条件で、図１に示すような基部厚さ０．３ｍｍ、幅２５ｍｍの生分解性雄面ファスナーを作製した。また、比較品として、低密度ポリエチレン（三菱化学（株）製ＬＤＰＥ  ＬＦ６８５）を用いて同じような形状、サイズの雄面ファスナーを作製した。
作製した各雄面ファスナーをナイロン製織成雌面ファスナー（幅２５ｍｍ）に係合し、剥離強度（１８０度剥離）及び剪断強度を測定し、またＪＩＳ−Ｌ−３４１６−１９８８に規定する耐久試験に従って１０００回係合−剥離を繰り返した後の剥離強度及び剪断強度を測定した。なお、剥離強度及び剪断強度は共に、初期強度はサンプル数５の測定結果の平均値、１０００回係合−剥離繰り返し後の強度はサンプル数４の平均値を示している。
表１から明らかなように、本発明の生分解性面ファスナーは充分な耐久性を有する。
【表１】
0003609207.tif 000002
【００２６】
【発明の効果】
以上のように、本発明の面ファスナーは、基部とその表面に突設された多数の係合要素が生分解性樹脂により形成されているため、微生物の作用によって分解される。従って、本発明の面ファスナーを連結部に用いた使い捨て製品、例えば生分解性樹脂や水溶性樹脂から作製された結束バンドや苗木カバー、エノキ茸育苗カバー、おむつなどが使用後に廃棄されても、これらは土中や水中の微生物により分解されるため、あるいは雨水等により溶解消失するため、地球環境の破壊や廃棄物公害を引き起こすことはない。しかも、生分解性樹脂製の製品は、コンポスト（堆肥）にして大地に還元されるので、通常プラスチック製品のような散乱ゴミになって野生動物への危害となる恐れもなく、また、分解して嵩が減少するので埋立地の延命化や安定化にも役立つ。さらに、これらの製品が焼却処分されても、生分解性樹脂は焼却時の発熱量が少ないため、焼却炉を損傷する危険性も減少する。
【００２７】
さらに本発明の好適な態様の面ファスナーは、例えば少なくとも基部に溝部及び／又は孔部を形成したり、あるいは基部裏面から係合要素内部にかけて延在する孔部を形成したりして、少なくとも基部がその比表面積が大きくなるような断面形状にされているため、充分な耐久性、強度を有し、また微生物の作用による基部の分解も速やかに進行する。また、基部に溝部及び／又は孔部を形成することにより、基部に柔軟性を与えることができ、従って、基部変形により係合要素間の係合が速やかに行え、係合力の向上も期待できる。
また、本発明の面ファスナーの製造方法によれば、繰り返し使用に耐える充分な耐久性、高い柔軟性及び係合力を有する孔部及び／又は溝部が形成された生分解性面ファスナーを生産性良く、比較的低コストで製造できる。
【図面の簡単な説明】
【図１】本発明の生分解性面ファスナーの第一実施例の部分斜視図である。
【図２】図１に示す生分解性雄面ファスナーと生分解性雌面ファスナーの係合状態を示す部分断面図であり、雄面ファスナーは図１のＡ−Ａ線矢視方向の断面を示す。
【図３】図１に示す生分解性雄面ファスナーの成形装置の要部概略断面図である。
【図４】図３に示す成形装置の射出ノズルの下部先端部を示す部分斜視図である。
【図５】本発明の生分解性面ファスナーの第二実施例の部分斜視図である。
【図６】図５に示す生分解性雄面ファスナーと生分解性雌面ファスナーの係合状態を示す部分断面図であり、雄面ファスナーは図５のＢ−Ｂ線矢視方向の断面を示す。
【図７】図５に示す生分解性雄面ファスナーの成形装置の要部概略断面図である。
【図８】本発明の第三実施例の生分解性雌面ファスナーの部分断面図である。
【図９】本発明の第三実施例の生分解性雄面ファスナーの部分断面図である。
【図１０】本発明の生分解性面ファスナーの第四実施例の基部裏面に水溶性樹脂をラミネートした状態を示す部分断面図である。
【図１１】本発明の生分解性面ファスナーの第四実施例を示す部分断面図である。
【図１２】本発明の生分解性面ファスナーの別の成形装置の例の要部概略断面図である。
【図１３】本発明の生分解性面ファスナーの第五実施例の部分断面図である。
【図１４】本発明の生分解性面ファスナーを用いた苗木カバーの側面図である。
【図１５】図１４に示す苗木カバーを組み立てた状態を示す斜視図である。
【符号の説明】
１，１ａ，１ｃ，１ｄ，１ｅ，１ｆ，５２  生分解性雄面ファスナー、２，２ａ，２ｃ，２ｄ，２ｅ，２ｆ，１１，１１ａ  基部、３，３ａ，３ｃ，３ｄ，３ｅ，３ｆ  フック状係合要素、４，４ａ  補強リブ、５，５ａ，５ｄ  溝部、６  縦リブ、７，７ａ，８，８ａ  フック片、９ｄ，９ｆ  孔部、１０，１０ａ  生分解性雌面ファスナー、１２，１２ａ  ループ状係合要素、１６  水溶性樹脂、１７  水溶性樹脂フィルム、２０，２０ａ，２０ｅ  射出ノズル、４０，４０ａ，４０ｅ  ダイホイール、４１，４１ａ，４１ｅ  キャビティ、５０  苗木カバー
【図１】
0003609207.tif 000003
【図２】
0003609207.tif 000004
【図３】
0003609207.tif 000005
【図４】
0003609207.tif 000006
【図５】
0003609207.tif 000007
【図６】
0003609207.tif 000008
【図７】
0003609207.tif 000009
【図８】
0003609207.tif 000010
【図９】
0003609207.tif 000011
【図１０】
0003609207.tif 000012
【図１１】
0003609207.tif 000013
【図１２】
0003609207.tif 000014
【図１３】
0003609207.tif 000015
【図１４】
0003609207.tif 000016
【図１５】
0003609207.tif 000017